(57)【要約】【課題】  貯留皿装置内の遊技球を、遅滞なく確実に球抜孔から排出できるパチンコ遊技機を提供する。【解決手段】貯留空間９ａに突出する球崩し突部４１ａと、貯留空間９ａ外に位置する受圧部４２ａとを具備する球崩し部材４０ａを、貯留皿部材２０ａに回動可能に軸支すると共に、開閉部材３０ａに前記受圧部４２ａと当接する押圧部３７を設け、開閉部材３０ａの摺動に伴って、該押圧部により受圧部４２ａを押圧して従動させ、球崩し突部４１ｂを貯留空間９ａ内で回動させて、貯留された遊技球を押圧し、転動させるようにした。【選択図】  図５
2005095489.tif 000002
【特許請求の範囲】
【請求項１】
前面側の下部位置に貯留皿装置を備えたパチンコ遊技機において、
貯留皿装置は、遊技球を貯留する貯留空間を内部に形成する貯留皿部材と、
貯留皿部材の底面部に形成された球抜孔と、
貯留皿部材の底面部に水平方向に摺動可能に保持されて、球抜孔を閉塞する定常位置と、球抜孔を開放する球抜位置とに変換される開閉部材とを備えるものであって、
貯留空間内に突出する球崩し突部と、貯留空間外に位置する受圧部とを具備してなり、貯留皿部材に回動可能に軸支される球崩し部材を備えると共に、
開閉部材は前記受圧部と当接する押圧部を備え、開閉部材の摺動に伴って、受圧部が該押圧部により押圧されて従動し、球崩し突部が貯留空間内で回動することを特徴とするパチンコ遊技機。
【請求項２】
球崩し部材は、貯留皿部材の前面部に上下方向に軸支され、受圧部を前面部の下方に位置すると共に、球崩し突部を貯留空間内で水平方向に回動するものであることを特徴とする請求項１記載のパチンコ遊技機。
【請求項３】
球崩し突部と、貯留皿部材の底面部との間には、遊技球の直径よりも上下幅の広い隙間が形成されていることを特徴とする請求項２記載のパチンコ遊技機。
【請求項４】
球崩し部材は、貯留皿部材の底面部に水平方向に軸支されて、受圧部を底面部の下方に位置すると共に、球崩し突部を貯留空間内で上下方向に回動するものであることを特徴とする請求項１記載のパチンコ遊技機。
【請求項５】
球崩し部材は、押圧部の押圧による従動方向と逆方向へ付勢されると共に、
押圧部には、開閉部材の摺動方向に沿った凹凸面が形成されており、
開閉部材の摺動に伴い、押圧部の凹凸面に沿って受圧部が従動して、球崩し突部が摺動空間内で揺動することを特徴とする請求項１乃至請求項４のいずれかに記載のパチンコ遊技機。
【請求項６】
開閉部材は、貯留皿部材の底面部の下底に固着される摺動保持部材により、水平方向に摺動可能となるように下方から保持されるものであって、
摺動保持部材の上面と開閉部材の底面には、相互に当接する凸部が形成されており、開閉部材の摺動に伴って両面の凸部が衝突し、開閉部材が上下に振動することを特徴とする請求項１乃至請求項５のいずれかに記載のパチンコ遊技機。
【発明の詳細な説明】
【技術分野】
【０００１】
本発明は、前面側の下部位置に遊技球を貯留する貯留皿装置を備えたパチンコ遊技機に関する。
【背景技術】
【０００２】
パチンコ遊技機は、一般的にその前面下部に発射皿装置と貯留皿装置が段設されており、発射皿装置に貯留した遊技球を球送り機構により一球ずつ発射レール始端の発射位置に自動的に供給し、発射ハンドルの回動操作によって発射位置の遊技球を発射鎚で打圧することにより、遊技球が遊技盤面に順次打ち出される。そして、遊技盤面の入賞口に遊技球が入賞すると所定数の遊技球が払出装置から払い出される。この遊技球は、通常、上方の払出口から発射皿装置に排出されるが、発射皿装置が満杯になると自動的に下方の払出口から貯留皿装置に排出される。この貯留皿装置は、上方に開放する貯留空間が内部に形成された貯留皿部材を備え、この貯留空間に払い出された遊技球が停留する。
【０００３】
そして、従来の貯留皿装置は、貯留皿部材の底面部に形成された下方へ連通する球抜孔と、該球抜孔を閉塞する遮蔽板部が形成された開閉部材とを備える。この開閉部材は貯留皿部材の底面部に水平方向（主に左右方向）に摺動可能に保持されて、遮蔽板部で球抜孔を横断状に閉塞する定常位置と、遮蔽板部が球抜孔から退避して球抜孔を開放する球抜位置とに変換可能となっている。開閉部材は、常態ではバネ等により定常位置側に付勢されて球抜孔を閉塞し、貯留空間に遊技球を貯留可能としているが、貯留皿装置の前面には、開閉部材と連繋する操作部が設けられており、この操作部の手操作により、開閉部材を球抜位置へ変移可能となっている（例えば特許文献１）。この開閉部材を球抜位置へ移動させる球抜部の操作（以下、球抜操作と記す）により、貯留空間に貯留された遊技球が、開放された球抜孔を通って下方に排出され、貯留皿装置の下方に載置した球箱に移し替えられる。
【０００４】
ところで、上述したように、発射皿装置が満杯となると、払出装置から払い出された遊技球は貯留皿装置に排出されて貯留される。そして、貯留皿装置も満杯となり、貯留皿装置から遊技球が溢れそうになると、一般のパチンコ遊技機では、満杯状態が改善されるまで発射装置の遊技球発射作動を停止させ、新たな入賞が生じて貯留皿装置に更なる遊技球が排出されるのを防止する。すなわち、貯留皿装置が満杯となると、遊技者は遊技球を発射できなくなる。ここで、貯留皿装置が満杯となるのは、大抵、大量の遊技球が払い出される大当り遊技中であるが、大当り遊技は、所定時間内に遊技球を大入賞口に入賞させて賞球を獲得するものがほとんどであり、中には所定時間内に大入賞口の特定領域に規定数の入賞がないと大当り遊技が途中終了してしまうものもある。従って、大当り遊技中に貯留皿装置が満杯となり、遊技球を発射できなくなると、大当り遊技で獲得可能な利益を十分に享受できないため、遊技者は、貯留皿装置が満杯となる前に、貯留皿装置の遊技球を球箱へ移し替えなくてはならない。
【０００５】
【特許文献１】特開平７−２６５５２７号公報
【発明の開示】
【発明が解決しようとする課題】
【０００６】
しかし、大当り遊技中は、遊技者は興奮状態にありがちであり、貯留皿装置が満杯となるまで気づかずに、発射装置が停止されてから慌てて球抜操作を行い、遊技球を排出することが多々ある。ところが、満杯状態で球抜操作を行っても、開放された球抜孔から遊技球が排出されず、発射停止が長引いて、遊技者の損失が大きくなることがある。この原因は、図１３に示すように、貯留空間９ｃに貯留された遊技球Ｘがドーム状になって均衡する、いわゆる「ブリッジ配列」（図１３中のＰ部分）が、球抜孔２４ｃ上方に形成されて、球抜孔２４ｃ上方の遊技球Ｘが重力に抗するためである。かかる場合には、遊技者が手ずから貯留空間９ｃ内の遊技球Ｘをかき混ぜれば、遊技球Ｘの配列が崩れてブリッジ配列Ｐは解消され、遊技球Ｘは球抜孔２４ｃから排出されるようになるが、大当り遊技中の時間ロスは避けられず、遊技性とは無関係なところで遊技者に損失を与え、遊技の興趣を損ねていた。
【０００７】
本発明は、かかる問題の解決を試みたものであり、球抜孔の開放と同時に、遊技球のブリッジ配列を解消し得るパチンコ遊技機の提供を目的とするものである。
【課題を解決するための手段】
【０００８】
本発明は、前面側の下部位置に貯留皿装置を備えたパチンコ遊技機において、貯留皿装置は、遊技球を貯留する貯留空間を内部に形成する貯留皿部材と、貯留皿部材の底面部に形成された球抜孔と、貯留皿部材の底面部に水平方向に摺動可能に保持されて、球抜孔を閉塞する定常位置と球抜孔を開放する球抜位置とに変換される開閉部材とを備えるものであって、貯留空間内に突出する球崩し突部と、貯留空間外に位置する受圧部とを具備してなり、貯留皿部材に回動可能に軸支される球崩し部材を備えると共に、開閉部材は前記受圧部と当接する押圧部を備え、開閉部材の摺動に伴って、受圧部が該押圧部により押圧されて従動し、球崩し突部が貯留空間内で回動することを特徴とするパチンコ遊技機である（請求項１）。
【０００９】
かかる構成にあっては、球抜操作の際に、球崩し突部が貯留空間内で回動して、貯留空間内の遊技球を押圧することにより、遊技球は転動して、その配列関係を変化させる。このため、球抜孔の上方にブリッジ配列が形成されていても、球抜操作時には、球崩し突部により、ブリッジ配列は解消されることとなり、遊技球は確実に球抜孔から排出される。しかも、本発明の球崩し部材は、開閉部材に従動して回動するため、従来通りの操作部を手操作するといった球抜操作だけで、球抜孔の開放と球崩し突部の移動とが同時に行われることとなり、球崩し突部を回動させるための付加的操作を要しない。
【００１０】
球崩し部材の最適な構成の一つとしては、球崩し突部を貯留皿部材の前面部に上下方向に軸支して、受圧部を前面部の下方に位置させると共に、球崩し突部を貯留空間内で水平方向に回動するようにした構成が提案される（請求項２）。かかる構成では、球崩し突部は前面部から貯留空間へ突出しており、開閉部材の摺動に伴い、貯留空間内の遊技球を水平方向に押圧して、転動させることとなる。このように、球崩し突部を、貯留皿部材の前面部から突出させた場合には、球崩し突部と貯留皿部材の底面部との間に、遊技球の直径よりも上下幅の広い隙間を形成することが望ましい（請求項３）。かかる場合にあっては、貯留した遊技球は貯留皿部材の底面部と球崩し突部の間隙で係止されないから、球崩し突部が遊技球の流下の障害となることがない。
【００１１】
また、球崩し部材を、貯留皿部材の底面部に水平方向に軸支して、受圧部を底面部の下方に位置させると共に、球崩し突部を貯留空間内で上下方向に回動させるようにした構成も提案される（請求項４）。かかる構成にあっては、球抜操作時に、球崩し突部が貯留空間の下部に貯留される遊技球を押し上げることとなる。貯留された遊技球は、下部に位置するものほど、遊技球の重みにより動き難くなっているため、上方の遊技球を転動させてもその変化が下方にまで及ばないことがあるが、かかる構成のように、下部の遊技球を直接押し上げるようにすれば、遊技球配列を確実かつ効率的に変化させることが可能となる。
【００１２】
ここで、球崩し部材は、バネの弾性力や重力等により、押圧部の押圧による従動方向と逆方向へ付勢して、押圧部の押圧から開放された際に、元の位置へ復帰させることが望ましい。そして、かかる場合には、押圧部に、開閉部材の摺動方向に沿った凹凸面を形成し、開閉部材の摺動に伴い、押圧部の凹凸面に沿って受圧部を従動させて、球崩し突部を摺動空間内で揺動させる構成が提案される（請求項５）。かかる構成にあっては、球抜操作に伴い球崩し突部を揺動させることで、貯留空間内の遊技球は一方向へ押圧されるよりも複雑に攪拌されるため、遊技球配列の変動は大きくなる。
【００１３】
さらに、開閉部材を、貯留皿部材の底面部の下底に固着される摺動保持部材により、水平方向に摺動可能となるように下方から保持する構成にあっては、摺動保持部材の上面と開閉部材の底面とに相互に当接する凸部を形成し、開閉部材の摺動に伴って両面の凸部を衝突させて、開閉部材が上下に振動するようにした構成が提案される（請求項６）。かかる構成にあっては、開閉部材の上下振動は、球崩し部材や貯留皿部材を介して、貯留空間の遊技球へ伝わることとなる。このように、球抜操作時に遊技球を振動させることにより、遊技球同士の密着が緩んで遊技球間に隙間が生じ、遊技球の配列構造が崩れ易い状態となる。ここで、開閉部材は繰り返し振動させることが望ましく、摺動保持部材の上面と開閉部材の底面の少なくとも一面には複数の凸部を形成して、開閉部材の摺動に伴って、複数の凸部が順次、他方側の凸部と衝突するようにするとよい。
【発明の効果】
【００１４】
本発明は、貯留空間内に突出する球崩し突部と、貯留空間外に位置する受圧部とを具備してなり、貯留皿部材に回動可能に軸支される球崩し部材を備えると共に、開閉部材は前記受圧部と当接する押圧部を備え、開閉部材の摺動に伴って、受圧部が該押圧部により押圧されて従動し、球崩し突部が貯留空間内で回動することを特徴とするパチンコ遊技機であるから（請求項１）、球抜操作の際に、球崩し突部の押圧により、遊技球配列が崩れて変化するため、球抜孔の上方にブリッジ配列が形成されていても、球抜操作と同時にその配列は解消される。従って、大当り遊技中に、貯留皿装置が満杯となり発射装置が停止しても、球抜操作を行えば貯留皿装置の遊技球は確実に排出され、発射停止は遅滞なく解除される。このため、遊技者は、発射停止による損害を最低限に抑えることができ、不必要な損害を被り不快な思いをすることもない。また、球崩し部材は開閉部材に従動するものであり、球崩し突部は従来同様の球抜操作によって付随的に回動するから、遊技者は付加的な操作を強いられることもないし、意識的に球崩し突部を回動させる必要もない。
【００１５】
ここで、球崩し部材を貯留皿部材の前面部に上下方向に軸支して、受圧部を前面部の下方に位置させると共に、球崩し突部を貯留空間内で水平方向に回動するようにした場合には（請求項２）、球抜孔の開放と同時に、球崩し突部により、貯留空間内の遊技球を水平方向に押圧して、ブリッジ配列を解消することができる。また、かかる構成にあって、球崩し突部と貯留皿部材の底面部との間に、遊技球の直径よりも上下幅の広い隙間を形成すれば（請求項３）、貯留空間内の遊技球を排出する際に、全ての遊技球を球崩し突部と底面部の間で係止させることなく、スムーズに球抜孔へ流下させることができる。
【００１６】
また、球崩し部材を、貯留皿部材の底面部に水平方向に軸支して、受圧部を底面部の下方に位置させると共に、球崩し突部を貯留空間内で上下方向に回動させるようにした場合には（請求項４）、貯留空間下部の動き難い遊技球が、球崩し突部により直接押し上げられて転動するため、ブリッジ配列を好適に解消させることができる。
【００１７】
そして、球崩し部材を、開閉部材の摺動に伴い摺動空間内で揺動するようにした場合には（請求項５）、球崩し突部を一方向に回動させるよりも、遊技球配列を大きく変化させることが可能となる。
【００１８】
さらに、摺動保持部材の上面と開閉部材の底面とに相互に当接する凸部を形成し、開閉部材の摺動に伴って、両面の凸部を衝突させて、開閉部材を上下に振動するようにした場合には（請求項６）、球抜操作時に、遊技球配列を容易に、かつ大きく変化させることが可能となり、ブリッジ配列をより簡単に解消できる。
【発明を実施するための最良の形態】
【００１９】
以下に、本発明の第一実施例を、図面を参照して説明する。
本実施例のパチンコ遊技機１は、図１に示すように、外枠２の前面に開閉可能な前面枠３が配設され、該前面枠３には遊技盤面を覆うガラス扉４と、発射皿装置５とが夫々開閉可能に軸着される。また、前面枠３の下部には、前記発射皿装置５の下方に位置させて貯留皿装置６ａが配設され、さらに貯留皿装置６ａの右側方に発射ハンドル７が配設されている。この発射皿装置５と貯留皿装置６ａとは夫々遊技球を貯留する貯留空間８，９ａを備え、前面枠３に形成された上部払出口１０と下部払出口１１とを介して、各貯留空間８，９ａは、パチンコ遊技機１背面側の払出装置（図示省略）と連通する。
【００２０】
発射皿装置５に貯留される遊技球は、前面枠３の背面に設けられた発射装置（図示省略）へ順次送られて、発射ハンドル７の回動操作により遊技盤面に順次打ち出される。そして、図示しない入賞口に入賞すると所定数（例えば１５個）の遊技球が、賞球として払出装置から払い出される。この払い出された遊技球は上部払出口１０から発射皿装置５の貯留空間８に排出されるが、大当り遊技中に多数の遊技球が払い出され、発射皿装置５の貯留空間８が満杯になると、パチンコ遊技機１の背面に配設される図示しない振り分け通路を遊技球が流下して下部払出口１１から貯留皿装置６ａの貯留空間９ａに放出される。ここで、下部払出口１１の内部には、満杯検出スイッチ（図示省略）が設けられており、貯留空間９ａが遊技球で満杯となり、下部払出口１１の内部にまで遊技球が滞留すると、この満杯検出スイッチがＯＮ作動して、これに応じて発射装置が停止する。この発射装置の停止は、満杯状態が解消されて満杯検出スイッチがＯＦＦ作動するまで続行される。
【００２１】
貯留皿装置６ａは、図２に示すように、上方と後方に開放する略直方体形状の貯留空間９ａを備え、該貯留空間９ａの後方側を下部払出口１１に臨ませて前面枠３に固定され、また、その前面側には皿カバー１９が固着される。そして、貯留空間９ａの底面には、下方に連通する球抜孔２４ａが形成される。この球抜孔２４ａは、常態では閉塞されているが、貯留皿装置６ａの前面に突出する操作部３２ａを左方向に操作すると開放され、貯留空間９ａ内の遊技球が球抜孔２４ａを介して機外へ排出される。そして、該貯留皿装置６ａの下方には樹脂製の球箱（図示省略）を載置可能となっており、該貯留皿装置６ａから排出した遊技球を球箱へ移し替えるようになっている。
【００２２】
以下に、本実施例の貯留皿装置６ａの構成について、図３〜６を参照して説明する。
本実施例の貯留皿装置６ａは、図３に示すように、貯留空間９ａを内部に形成する貯留皿部材２０ａと、貯留皿部材２０ａに下方から固着される摺動保持部材２６ａと、貯留皿部材２０ａと摺動保持部材２６ａの間に形成された摺動間隙５０ａに取り付けられて、貯留皿部材２０ａの底面部２１ａに対して左右方向に摺動可能に保持される開閉部材３０ａと、貯留皿部材６ａの前面部２２ａに上下方向に軸支される球崩し部材４０ａとからなる。
【００２３】
貯留皿部材２０ａは、図３に示すように、貯留空間９ａの底面を形成する底面部２１ａと、該底面部２１ａから起立する前面部２２ａ及び左右の側面部２３ａ，２３ａを備え、かかる底面部２１ａおよび前面部２２ａ、側面部２３ａ，２３ａからなる皿面部の内部に貯留空間９ａを形成する。そして底面部２１ａの中央位置には、貯留皿装置６ａの下方に連通する円形の球抜孔２４ａが形成され、この球抜孔２４ａに向けて形成された下り勾配により、貯留空間９ａ内の遊技球を該球抜孔２４ａに案内して、下方に排出するようになっている。また、前面部２２ａには、上下に貫通する保持孔２５ａが形成されており、この保持孔２５ａに球崩し部材４０ａが軸支される（図６参照）。
【００２４】
摺動保持部材２６ａは、図３に示すように、貯留皿部材２０ａの底面部２１ａと略同じ大きさをなし、該底面部２１ａを下方から覆うように貯留皿部材２０ａに螺着され、底面部２１ａとの間に、開閉部材３０ａを保持する摺動間隙５０ａを形成する。また、摺動保持部材２６ａには球抜孔２４ａと上下に対向する位置に連通孔２９ａが形成されており、球抜孔２４ａを貯留皿装置６ａの下方へ連通させる（図６参照）。
【００２５】
摺動間隙５０ａ内で摺動可能に保持される開閉部材３０ａは、球抜孔２４ａを遮蔽する遮蔽板部３１ａを備え、該遮蔽板部３１ａが球抜孔２４ａを横断状に遮蔽する右側の定常位置Ｉ（図５イ参照）と、遮蔽板部３１ａが球抜孔２４ａの左方へ退避して、球抜孔２４ａを完全開放する左側の球抜位置II（図５ロ参照）との間を移動可能となっている。
【００２６】
ここで、図５に示すように、摺動間隙５０ａの左側には、コイルバネ２８が設けられており、開閉部材３０ａは、このコイルバネ２８の弾性力により定常位置Ｉへ付勢される。そして、開閉部材３０ａの前部には、連繋部３６ａを介して貯留皿装置６ａの前面に突出する操作部３２ａが形成されており、該操作部３２ａを遊技者が左方向へ操作することにより、開閉部材３０ａが球抜位置IIへ変位して、球抜孔２４ａが開放するようになっている。また、操作部３２ａの付け根からは杆状の押圧部３７が右方に延成される。この押圧部３７は側断面が逆Ｌ字状をなし、後述するように、その下部で球崩し部材４０ａを押圧して回動させる。
【００２７】
次に本発明の要部である球崩し部材４０ａについて説明する。
本実施例の球崩し部材４０ａは、図３，４に示すように、上下に長尺な杆状の支軸部４３ａと、該支軸部４３ａの上端部に固定されて水平方向に突出する球崩し突部４１ａと、水平方向の突起を有し、支軸部４３ａの下端に固定される受圧部４２ａとからなり、図５，６に示すように、貯留皿部材２０ａの前面部２２ａに形成された保持孔２５ａに、支軸部４３ａを貫通させて回動可能に軸支される。そして、貯留皿部材２０ａに軸支された状態にあっては、図５，６に示すように、球崩し突部４１ａは貯留空間９ａで水平方向に回動し、その突き出る方向を左方と後方との間で移動可能となっている。ここで、球崩し部材４０ａの上端には、球崩し突部４１ａと逆方向に突出する板バネ４４が設けられる（図３参照）。そして、球崩し部材４０ａは、該板バネ４４の先端を前面部２２ａに当接した状態で軸支され、板バネ４４の弾性力により球崩し突部４１ａを左方に向けるように付勢される。
【００２８】
一方、球崩し部材４０ａ下端の受圧部４２ｂは、図６に示すように、前面部２２ａ下方の摺動間隙５０ａに位置する。そして、図４に示すように、開閉部材３０ａの定常位置Ｉで、受圧部４２ａは突起部分を、開閉部材３０ａの押圧部３７の左縁下部と当接する。かかる状態にあっては、受圧部４２ｂと押圧部３７は軽く接している状態であり、球崩し部材４０ａは前記板バネ４４の付勢力により、球崩し突部４１ａを左方に向けている。そして、操作部３２ａを左方へ操作して、開閉部材３０ａを球抜位置IIへ摺動させると、押圧部３７により、受圧部４２ａが左方へ押圧されて従動し、球崩し部材４０ａが回動する。そして、図５に示すように、この回動により、上端の球崩し突部４１ａは、その先端を左方から後方へ向けるように貯留空間９ａ内を回動する。このため、貯留空間９ａに貯留された遊技球は、球抜操作に伴い、球崩し突部４１ａに水平方向に押圧されて転動し、その配列構造を変動する。従って、遊技球がブリッジ配列を形成している場合でも、球崩し突部４１ａによりブリッジ配列は解消され、球抜孔２４ａを介して遊技球が確実に排出されることとなる。ここで、図６に示すように、球崩し突部４１ａは、底面部２１ａとの間に、遊技球Ｘの直径よりも上下幅の広い隙間を形成するように配設されており、球抜孔２４ａから遊技球Ｘを排出する際に、貯留空間９ａの遊技球Ｘが球崩し突部４１ａと底面部２１ａとの間で係止されることなく、球抜孔２４ａへ流下できるようになっている。
【００２９】
上述のように球崩し部材４０ａは、開閉部材３０ａの左方への摺動に伴い、受圧部４２ａを押圧部３７の下部左縁に押圧されて回動し、球崩し突部４１ａを後方に突出させるが、回動した球崩し部材４０ａは、板バネ４４により、回動した方向とは逆方向に付勢されるため、押圧して回動した受圧部４２ａを、左方に移動する押圧部３７の後面に圧接することとなる。ここで、図７に示すように、押圧部３７の後面には左右方向に沿った凹凸面３８が形成されており、受圧部４２ａは突起部分の先端に設けられた球状突片４５を該凹凸面３８に圧接させる。そして、図７に示すように、押圧部３７の凹凸面３８の左方に移動に伴い、球状突片４５の凹凸面３８との当接部が右方に変移していくため、受圧部４２ａは凹凸面３８の凹凸に従い揺動する。従って、球崩し突部４１ａは、球抜孔２４ａの開放と同時に、先端を左方から後方に向けるように水平回動した後、受圧部４２ａの揺動に応じて、貯留空間９ａ内で左右に揺動することとなる。このため、開閉部材３０ａの球抜位置IIへの摺動に伴って、球崩し突部４１ｂは、貯留空間９ａ内の遊技球を一方向だけでなく、左右に押圧することで遊技球を複雑に攪拌することができる。
【００３０】
このように、本実施例の貯留皿装置６ａにあっては、球抜操作による開閉部材３０ａの摺動に伴い、貯留空間９ａ内の遊技球配列を崩し得るため、球抜孔２４ａ上方にブリッジ配列が形成されていても、球抜操作と同時にブリッジ配列は解消され、貯留された遊技球は球抜孔２４ａから排出されることとなる。このため、大当り遊技中に貯留皿装置６ａが満杯となり、発射装置が停止された場合でも、遊技球を確実に、遅滞なく排出できるから、遊技の時間ロスによる損害を最小限に抑えられる。特に、本実施例においては、図５に示すように、球崩し突部４１ａが球抜孔２４ａ上方を通過するように回動するため、ブリッジ配列を構成する遊技球を直接押圧して、ブリッジ配列を確実に崩すことができる。
【００３１】
次に、球崩し部材４０ｂを水平方向に軸支した第二実施例について、図８〜図１２を参照して説明する。尚、本実施例では、パチンコ遊技機の構成や貯留皿装置の基本構成は第一実施例と同様の構成であるため、重複する部分の説明は省略する。
【００３２】
本実施例の球崩し部材４０ｂは、図８，９に示すように、前後方向の支軸部４３ｂと、該支軸部４３ｂから右方向に突出する球崩し突部４１ｂと、球崩し突部４１ｂの右端部の前後両縁に下方に向けて設けられる凸状の受圧部４２ｂ，４２ｂとを備える。そして、この球崩し部材４０ｂは、図８に示すように、支軸部４３ｂの前後端を、球抜孔２４ｂの左縁の保持孔２５ｂ，２５ｂに嵌挿することにより、上下方向に回動可能に軸支される。
【００３３】
一方、開閉部材３０ｂは、第一実施例同様に、摺動間隙５０ｂに摺動可能に保持されて、遮蔽板部３１ｂが球抜孔２４ｂを横断状に遮蔽する右側の定常位置Ｉ（図１０イ参照）と、球抜孔２４ａを完全開放する左側の球抜位置II（図１０ハ参照）との間を移動可能となっている。そして、図９に示すように、本実施例では遮蔽板部３１ｂの上面に円弧状の凸面が形成されており、この遮蔽板部３１ｂの上面に、球崩し部材４０ｂの受圧部４２ｂが当接する。すなわち、本実施例では、遮蔽板部３１ｂが球崩し部材４０ｂを押圧する押圧部を構成する。そして、図１０（イ），１１（イ）に示すように、開閉部材３０ｂの定常位置Ｉでは、受圧部４２ｂは、遮蔽板部３１ｂの凸面左縁の最も低い部分と当接し、球崩し突部４１ｂは、水平となり底面部２１ｂと一面状になっている。
【００３４】
そして、かかる状態から、開閉部材３０ｂを左方へ摺動させると、図１０ロ、図１１ロに示すように、遮蔽板部３１ｂの左方移動に伴い、遮蔽板部３１ｂの受圧部４２ｂとの当接位置が徐々に右方に変移していき、その当接位置が徐々に高くなることにより、受圧部４２ｂは遮蔽板部３１ｂにより上方に押し上げられることとなり、球崩し突部４１ｂは上方に回動し、貯留空間９ｂへ突出する。このため、貯留空間９ｂ内に遊技球が貯留される場合には、この球崩し突部４１ｂの上方回動により遊技球が押し上げられて、その配列構造を変動させることとなる。そして、受圧部４２ｂが遮蔽板部３１ｂの中央部と当接した後は、その当接位置の高さは低くなっていくため、球崩し突部４１ｂは徐々に下方回動し、開閉部材３０ｂの球抜位置IIでは、受圧部４２ｂは、再び底面部２１ｂと一面状となる。このように、本実施例の球崩し突部４１ｂは、球抜孔２４ｂの開放に伴い、上方に回動して貯留空間９ｂに突出した後、下方に回動し、球抜位置IIでは底面部２１ｂと一面状となる。このため、球抜孔２４ｂが開放された時点では、遊技球は、球崩し突部４１ｂに引っ掛かることなく、球抜孔２４ｂへ円滑に流下することができる。
【００３５】
また、図９に示すように、開閉部材３０ｂには、遮蔽板部３１ｂの前後縁から下方に設けられた支持脚部３４ｂ，３４ｂを備え、図１１に示すように、開閉部材３０ｂは、該支持脚部３４ｂの底面を摺動保持部材２６ｂの上面と接しながら、摺動間隙５０ｂ内を摺動する。ここで、本実施例の支持脚部３４ｂの底面には、複数の凸部３５，３５が形成されており、一方の摺動保持部材２６ｂの上面にも、図１２に示すように、凸部２７が形成される。そして、開閉部材３０ｂを摺動すると、この凸部３５，３５が、摺動保持部材２６ｂの凸部２７と衝突するようになっている。すなわち、開閉部材３０ｂを球抜位置IIへ変位させる際には、図１２に示すように、底面の凸部３５と、凸部２７とが衝突して、開閉部材３０ｂは凸部２７を乗り越えるようにして上下に振動しながら球抜位置IIへと移動することとなる。この上下振動は、球崩し突部３３ｂや貯留皿部材２０ｂを介して、貯留空間９ｂの遊技球に伝わり、緊密に並んだ遊技球の間に隙間を生じさせることとなり、貯留空間９ｂ内の遊技球配列は崩れ易い状態となる。
【００３６】
このように、本実施例の構成にあっては、球抜操作により、球崩し突部４１ｂが上下方向に回動して、貯留空間９ｂの遊技球を下方から押し上げるため、貯留空間９ｂ下部の動き難い遊技球が、球崩し突部４１ｂにより直接押圧されて転動することとなり、ブリッジ配列を好適に解消させることができる。また、球抜操作時に、遊技球を振動させて、遊技球配列を崩し易い状態とするため、球崩し突部４１ｂの押圧により遊技球配列を大きく変化させることができる。
【００３７】
尚、本発明は、上述の実施例にのみ限定されるものではなく、本発明の要旨を逸脱しない範囲内において種々変更を加え得ることは勿論である。例えば、本実施例の開閉部材はいずれも貯留皿部材の底面部に対して左右方向に摺動するものであるが、左右方向に限らず、開閉部材が前後方向に摺動する構成や、開閉部材が貯留皿部材に軸支されて底面部に対して回転方向に摺動する構成にも本発明は適用可能である。また、操作部に関しても、貯留皿装置の前面に設けられている必要はなく、開閉部材と別部材で構成されたものでも構わない。さらに、貯留皿部材の形状についても、本実施例の構成に限らず、前面枠と一体形成された構成など多様な形態に本発明は適用できる。
【図面の簡単な説明】
【００３８】
【図１】パチンコ遊技機１の斜視図である。
【図２】第一実施例の貯留皿装置６ａを分離して示すパチンコ遊技機１下部の斜視図である。
【図３】開閉部材３０ａと球崩し部材４０ａを分離して示す第一実施例の貯留皿装置６ａの斜視図である。
【図４】貯留皿部材２０ａを透過視して、開閉部材３０ａと球崩し部材４０ａとの係合態様を示す斜視図である。
【図５】第一実施例の貯留皿装置６ａの平面図であり、（イ）は開閉部材３０ａが定常位置Ｉにある状態を、（ロ）は開閉部材３０ａが球抜位置IIに変位した状態を示す。
【図６】図５中のＡ−Ａ断面図である。
【図７】押圧部３７の凹凸面３８と、受圧部４２ａの当接態様を拡大して示す説明図である。
【図８】開閉部材３０ｂと球崩し部材４０ｂを分離して示す第二実施例の貯留皿装置６ｂの斜視図である。
【図９】貯留皿部材２０ｂを透過視して、開閉部材３０ｂと球崩し部材４０ｂとの係合態様を示す斜視図である。
【図１０】第二実施例の貯留皿装置６ｂの平面図であり、（イ）は開閉部材３０ｂが定常位置Ｉにある状態を、（ロ）は開閉部材３０ｂが定常位置Ｉから球抜位置IIへ変位する途上の状態を、（ハ）は開閉部材３０ｂが球抜位置IIに変位した状態を示す。
【図１１】第二実施例の貯留皿装置６ｂの縦断面図であり、（イ）は図１０中のＢ−Ｂ断面を、（ロ）は図１０中のＣ−Ｃ断面を、（ハ）は図１０中のＤ−Ｄ断面を示す。
【図１２】開閉部材３０ｂの凸部３５と摺動保持部材２６ａの凸部２７との衝突態様を示す、図１１（ロ）の拡大図である。
【図１３】貯留空間９ｃにブリッジ配列Ｐが形成された状態を示す、従来の貯留皿装置６ｃの縦断面図である。
【符号の説明】
【００３９】
１  パチンコ遊技機
２  外枠
３  前面枠
４  ガラス扉
５  発射皿装置
６ａ〜６ｃ  貯留皿装置
７  発射ハンドル
８，９ａ〜９ｃ  貯留空間
１０  上部払出口
１１  下部払出口
１９  皿カバー
２０ａ〜２０ｃ  貯留皿部材
２１ａ，２１ｂ  底面部
２２ａ，２２ｂ  前面部
２３ａ，２３ｂ  側面部
２４ａ〜２４ｃ  球抜孔
２５ａ，２５ｂ  保持孔
２６ａ，２６ｂ  摺動保持部材
２７  凸部
２８  コイルバネ
２９ａ，２９ｂ  連通孔
３０ａ〜３０ｃ  開閉部材
３１ａ，３１ｃ  遮蔽板部
３１ｂ  遮蔽板部（押圧部）
３２ａ，３２ｂ  操作部
３４ａ，３４ｂ  支持脚部
３５  凸部
３６ａ，３６ｂ  連繋部
３７  押圧部
３８  凹凸面
４０ａ，４０ｂ  球崩し部材
４１ａ，４１ｂ  球崩し突部
４２ａ，４２ｂ  受圧部
４３ａ，４３ｂ  支軸部
４４  板バネ
４５  先端突起
５０ａ，５０ｂ  間隙
６０  固定部材
Ｐ  ブリッジ配列
Ｘ  遊技球
Ｉ  定常位置
II  球抜位置
【図１】
2005095489.tif 000003
【図２】
2005095489.tif 000004
【図３】
2005095489.tif 000005
【図４】
2005095489.tif 000006
【図５】
2005095489.tif 000007
【図６】
2005095489.tif 000008
【図７】
2005095489.tif 000009
【図８】
2005095489.tif 000010
【図９】
2005095489.tif 000011
【図１０】
2005095489.tif 000012
【図１１】
2005095489.tif 000013
【図１２】
2005095489.tif 000014
【図１３】
2005095489.tif 000015